(57)【要約】【課題】光源が実装される基板と配光制御素子との位置関係を維持しながら、配光制御素子を安定して保持する面光源装置の提供を目的とする。【解決手段】面光源装置は、複数の光源と、長尺形状を有し、長手方向に並べられた複数の光源を実装する基板と、基板の長手方向に対し両側に突出する一組の突起部を含み、複数の光源のうち少なくとも１つの光源を覆って設けられ、少なくとも１つの光源から出射される光の配光を制御する配光制御素子と、基板の長手方向に対し基板の両側に設けられ、配光制御素子から出射される光の一部を反射する一組の反射部と、複数の光源と、基板と、配光制御素子と、一組の反射部とを収容し、かつ、一組の反射部の位置を固定する筐体と、を含む。各反射部は、各突起部を保持することにより、筐体に対する配光制御素子の位置を固定する少なくとも１つの保持部を含む。【選択図】図８
2019139869.tif 000002
【特許請求の範囲】
【請求項１】
複数の光源と、
長尺形状を有し、長手方向に並べられた前記複数の光源を実装する基板と、
前記基板の前記長手方向に対し両側に突出する一組の突起部を含み、前記複数の光源のうち少なくとも１つの光源を覆って設けられ、前記少なくとも１つの光源から出射される光の配光を制御する配光制御素子と、
前記基板の前記長手方向に対し前記基板の両側に設けられ、前記配光制御素子から出射される光の一部を反射する一組の反射部と、
前記複数の光源と、前記基板と、前記配光制御素子と、前記一組の反射部とを収容し、かつ、前記一組の反射部の位置を固定する筐体と、を備え、
各前記反射部は、各前記突起部を保持することにより、前記筐体に対する前記配光制御素子の位置を固定する少なくとも１つの保持部を含む、面光源装置。
【請求項２】
前記配光制御素子は、前記基板の前記長手方向に長尺形状を有し、前記複数の光源を覆って設けられ、
各前記突起部は、前記配光制御素子の長手方向に一様な形状を有する請求項１に記載の面光源装置。
【請求項３】
前記配光制御素子は、前記筐体に固定される脚部をさらに含む請求項１または請求項２に記載の面光源装置。
【請求項４】
前記配光制御素子の各前記突起部と各前記反射部の前記少なくとも１つの保持部とは、透明もしくは白色の樹脂を含む請求項１から請求項３のいずれか一項に記載の面光源装置。
【請求項５】
各前記反射部の前記少なくとも１つの保持部は、複数の保持部を含む請求項１から請求項４のいずれか一項に記載の面光源装置。
【請求項６】
前記複数の保持部の各々が設けられる間隔は、３００ｍｍ以下である請求項５に記載の面光源装置。
【請求項７】
請求項１から請求項６のいずれか一項に記載の面光源装置と、
前記面光源装置により照明される映像表示パネルと、を備える映像表示装置。
【請求項８】
各前記反射部の前記少なくとも１つの保持部は、
保持部本体と、
前記保持部本体に保持され、かつ、各前記突起部を保持する保持部材と、を含む請求項１に記載の面光源装置。
【請求項９】
前記配光制御素子は、前記基板の前記長手方向に長尺形状を有し、前記複数の光源を覆って設けられ、
各前記突起部は、前記配光制御素子の長手方向に一様な形状を有する請求項８に記載の面光源装置。
【請求項１０】
前記配光制御素子は、前記筐体に固定される脚部をさらに含む請求項８または請求項９に記載の面光源装置。
【請求項１１】
前記配光制御素子の各前記突起部と各前記反射部の前記少なくとも１つの保持部と前記保持部材とは、透明もしくは白色の樹脂を含む請求項８から請求項１０のいずれか一項に記載の面光源装置。
【請求項１２】
各前記反射部の前記少なくとも１つの保持部は、複数の保持部を含み、
前記保持部本体と前記保持部材とは、前記複数の保持部の各々に対応して設けられる請求項８から請求項１１のいずれか一項に記載の面光源装置。
【請求項１３】
前記複数の保持部の各々が設けられる間隔は、３００ｍｍ以下である請求項１２に記載の面光源装置。
【請求項１４】
請求項８から請求項１３のいずれか一項に記載の面光源装置と、
前記面光源装置により照明される映像表示パネルと、を備える映像表示装置。
【発明の詳細な説明】
【技術分野】
【０００１】
本発明は、面光源装置および映像表示装置に関する。
【背景技術】
【０００２】
主にバックライトに使用される面光源装置は、その光源としてＬＥＤ（Light Emitting Diode）が用いられるものが近年の主流である。直下型方式の面光源装置は、複数のＬＥＤが実装された基板が製品の背面に並べて配置された構成を有する。面光源装置は、ＬＥＤ上に設けられた配光制御素子によって拡散した光を液晶パネルに照射する。配光制御素子は２種類に大別される。１つは、直線状に並べて配置された複数のＬＥＤを１つずつ覆うように配置される円形のレンズ方式である。もう１つは、複数のＬＥＤの全体を覆うように配置されるシリンドリカルレンズ方式である。特許文献１には、複数のＬＥＤを１つずつ覆う配光制御素子として光束制御部材が配置された面光源装置が開示されている。特許文献２には、複数のＬＥＤ全体を覆う配光制御素子としてシリンドリカルレンズを有する面状照射光源が開示されている。
【０００３】
上記いずれの方式においても、ＬＥＤと配光制御素子との位置関係が崩れた場合、輝度劣化および色ムラが生じる。そのため、双方の位置関係が崩れない保持構造により配光制御素子を固定することが重要である。ＬＥＤと配光制御素子との位置関係を維持し、かつ、実装基板に対する配光制御素子の接合強度を確実に得るため、一般的に、配光制御素子は専用の治具によって実装基板に接着される。
【先行技術文献】
【特許文献】
【０００４】
【特許文献１】特許第５７１９１０４号公報
【特許文献２】特許第４８９９５０２号公報
【発明の概要】
【発明が解決しようとする課題】
【０００５】
特許文献１に記載の光束制御部材には丸棒状の脚部が設けられている。その脚部が接着剤により基板に接着されることにより、光束制御部材は基板に固定される。しかし、実装基板の構成材料であるアルミニウムやガラスコンポジット（ＣＥＭ−３）等の線膨張係数と、配光制御素子の構成材料であるＰＭＭＡ（Polymethyl methacrylate）やＰＣ（Polycarbonate）等の線膨張係数とは異なる。そのため、温度変化による基板の伸縮の程度と配光制御素子の伸縮の程度とに差が生じ、接着剤が剥がれることがある。線膨張係数差によって生じる応力は、その体積に依存して大きくなる。よって、接着剤は長尺な配光制御素子の固定には適していない。特許文献２には、直線状に長尺な配光制御素子の光学的性能のみが開示されており、ＬＥＤが実装される基板と配光制御素子との保持構造は開示されていない。
【０００６】
本発明は上記の課題を解決するためになされたものであり、光源と配光制御素子との位置関係を維持しながら、配光制御素子を安定して保持する面光源装置の提供を目的とする。
【課題を解決するための手段】
【０００７】
本発明に係る面光源装置は、複数の光源と、長尺形状を有し、長手方向に並べられた複数の光源を実装する基板と、基板の長手方向に対し両側に突出する一組の突起部を含み、複数の光源のうち少なくとも１つの光源を覆って設けられ、その少なくとも１つの光源から出射される光の配光を制御する配光制御素子と、基板の長手方向に対し基板の両側に設けられ、配光制御素子から出射される光の一部を反射する一組の反射部と、複数の光源と、基板と、配光制御素子と、一組の反射部とを収容し、かつ、一組の反射部の位置を固定する筐体と、を含む。各反射部は、各突起部を保持することにより、筐体に対する配光制御素子の位置を固定する少なくとも１つの保持部を含む。
【発明の効果】
【０００８】
本発明によれば、光源と配光制御素子との位置関係を維持しながら、配光制御素子を安定して保持する面光源装置の提供が可能である。
【０００９】
本発明の目的、特徴、局面、および利点は、以下の詳細な説明と添付図面とによって、より明白になる。
【図面の簡単な説明】
【００１０】
【図１】実施の形態１における液晶表示装置の外観を示す図である。
【図２】実施の形態１における液晶表示装置の外観を示す図である。
【図３】実施の形態１における液晶表示装置の分解図である。
【図４】実施の形態１における面光源装置および液晶表示部の断面図である。
【図５】実施の形態１における液晶表示装置の構成を示すブロック図である。
【図６】実施の形態１における面光源装置の構成を示す斜視図である。
【図７】実施の形態１における面光源装置の構成を拡大して示す斜視図である。
【図８】実施の形態１における面光源装置の構成を示す断面図である。
【図９】実施の形態１におけるロッドレンズの構成を示す斜視図である。
【図１０】実施の形態１におけるロッドレンズの構成を示す断面図である。
【図１１】実施の形態１における一体の部品である２つの反射部本体の構成を示す斜視図である。
【図１２】実施の形態１における一体の部品である２つの反射部本体の構成を示す断面図である。
【図１３】実施の形態２における面光源装置の構成を示す斜視図である。
【図１４】実施の形態２における面光源装置の構成を拡大して示す斜視図である。
【図１５】実施の形態２における面光源装置の構成を示す断面図である。
【図１６】実施の形態２におけるロッドレンズの構成を示す斜視図である。
【図１７】実施の形態２におけるロッドレンズの構成を示す断面図である。
【図１８】実施の形態２における保持部の構成を拡大して示す斜視図である。
【図１９】実施の形態２における一体の部品である２つの反射部本体の構成を示す斜視図である。
【図２０】実施の形態２における一体の部品である２つの反射部本体の構成を拡大して示す斜視図である。
【図２１】実施の形態２における保持部材の構成を示す斜視図である。
【図２２】実施の形態３における面光源装置の構成を示す斜視図である。
【図２３】実施の形態３における面光源装置の構成を示す断面図である。
【発明を実施するための形態】
【００１１】
＜実施の形態１＞
（面光源装置および映像表示装置の構成）
実施の形態１における面光源装置および映像表示装置を説明する。ここでは、映像表示装置は液晶表示装置を一例に説明する。図１および図２は、液晶表示装置２００の外観を示す図である。液晶表示装置２００は、液晶表示部１１０、ベゼル１２０、意匠筐体１３０、意匠バックカバー１４０、スタンド１５０を有する。液晶表示部１１０は映像を表示する。ベゼル１２０、意匠筐体１３０および意匠バックカバー１４０は、液晶表示部１１０を保持する。スタンド１５０は、液晶表示部１１０、ベゼル１２０、意匠筐体１３０および意匠バックカバー１４０を支える。
【００１２】
図３は、液晶表示装置２００の分解図である。液晶表示装置２００は、上記のベゼル１２０、意匠筐体１３０、意匠バックカバー１４０、スタンド１５０の他、面光源装置１００および電気部１６０を有する。面光源装置１００は、液晶表示部１１０を照明するバックライトである。電気部１６０は、液晶表示部１１０および面光源装置１００を制御する。
【００１３】
図４は、面光源装置１００および液晶表示部１１０の断面図である。図４において、面光源装置１００は筐体１０のみが図示されているが、内部には光源等が設けられている。液晶表示部１１０は、拡散板１１１、光学フィルム１１２および液晶パネル１１３を有する。面光源装置１００の光出射面１０Ａから出射された光は、その光出射面１０Ａに対面する液晶表示部１１０を均一に照明する。液晶表示部１１０に入射した光は、拡散板１１１を通過することにより、面内の均一性がさらに向上する。拡散板１１１を通過した光は、光学フィルム１１２に入射する。図４において、光学フィルム１１２の詳細な構成の図示は省略されているが、光学フィルム１１２は、光の利用効率を向上させるシート、視野角を調整するシート、光を拡散して均一性をさらに向上させるシートなどで構成される。光学フィルム１１２を通過した光は、液晶パネル１１３を通過する。それにより液晶表示部１１０に映像が表示される。
【００１４】
図５は、液晶表示装置２００の構成を示すブロック図である。図５において、液晶表示装置２００は、主に、入出力部１７０、電気部１６０、面光源装置１００および液晶表示部１１０を有する。入出力部１７０は、外部との間で信号を入出力する。入出力部１７０は、音声処理部１７１、Ｉｒ（Infrared）受光部１７２、入出力Ｉ/Ｆ（Interface）部１７３および記憶部１７４を含む。記憶部１７４は、例えば、ＨＤＤ（Hard Disk Drive）またはＢＤ（Blu-ray Disc：登録商標）である。Ｉｒ受光部１７２は、外部のリモコンから出力された赤外線信号を受光し、各部に制御信号を出力する。電気部１６０は、画像制御部１６１、光源制御部１６２、制御部１６３および電源部１６４で構成される。画像制御部１６１は、液晶表示部１１０が有する液晶パネル１１３の駆動を制御する。光源制御部１６２は、面光源装置１００が有する光源２０の駆動を制御する。制御部１６３は、入出力部１７０からの信号を受け付け、画像制御部１６１および光源制御部１６２を制御する。電源部１６４は、制御部１６３に電源を供給する。電源部１６４には、外部電源１６５から電源が供給される。面光源装置１００の詳細な構成および機能は後述するが、面光源装置１００の光源２０は冷却器８０で冷却され、光源２０から出射される光は配光制御素子４０および反射部５０にて輝度が均一化される。液晶表示部１１０の構成および機能は、上述したとおりである。
【００１５】
図６は、実施の形態１における面光源装置１００の構成を示す斜視図である。図６は、図４に示された光出射面１０Ａの方向から観察される面光源装置１００の内部を示す。図７は、面光源装置１００の構成を拡大して示す斜視図である。図８は、面光源装置１００の構成を示す断面図である。図８は、図７に示されるＡ−Ａ’における断面を示す。
【００１６】
面光源装置１００は、複数の光源２０、基板３０、配光制御素子４０、一組の反射部５０および筐体１０を含む。なお、図６および図７において、光源２０および基板３０の図示は省略されている。面光源装置１００は、配光制御素子４０、複数の光源２０、基板３０および一組の反射部５０を１つのユニット９０として、複数のユニットが一方向に配列された構成を有する。図６においては、各ユニット９０はｘ軸方向に配列されている。
【００１７】
光源２０は、図８に示されるように、基板３０の主面３１に実装される。実施の形態１において、光源２０はＬＥＤであるが、これに限定されるものではない。
【００１８】
基板３０は、長尺形状を有する。その長手方向はｙ軸方向である。各図において図示は省略されているが、各光源２０は、基板３０の長手方向に並んで配置されている。
【００１９】
配光制御素子４０は、複数の光源２０のうち少なくとも１つの光源２０を覆うように設けられる。実施の形態１において、配光制御素子４０は、基板３０の長手方向に長尺形状を有する。ここでは、配光制御素子４０は、柱状の形状を有するロッドレンズ４１である。ロッドレンズ４１は、基板３０に保持されている。ロッドレンズ４１は、ロッドレンズ４１の下面と基板３０の主面３１との間に凹部３２を形成する。光源２０は、その凹部３２に配置される。１つのロッドレンズ４１は、複数の光源２０を覆う。ロッドレンズ４１は、複数の光源２０から出射される光の配光を制御する。すなわち、光源２０から出射された光は、ロッドレンズ４１の形状に応じて屈折および反射し、配光が拡げられる。ロッドレンズ４１から出射される光は、液晶表示部１１０を均一に照射する。
【００２０】
図９は、ロッドレンズ４１の構成を示す斜視図である。図１０は、ロッドレンズ４１の構成を示す断面図である。ロッドレンズ４１は、ｙ軸方向つまり基板３０の長手方向に対し両側に突出する一組の突起部４２を含む。実施の形態１において、各突起部４２は、ｘ軸方向につまり後述する筐体１０の底面が延在する方向に突出している。また、各突起部４２は、ロッドレンズ４１の長手方向に一様な形状を有する。つまり、ロッドレンズ４１の長手方向における断面は、いずれの位置においても同じ形状を有する。このような形状を有するロッドレンズ４１は押出成形により作製可能である。また、各突起部４２は透明もしくは白色の樹脂を含む。
【００２１】
ロッドレンズ４１は配光制御素子４０の一例であり、配光制御素子４０の形態はそれに限定されるものではない。また、光源ごとに１つの配光制御素子が設けられてもよい。つまり、各配光制御素子が各光源を個別に覆って設けられてもよい。その場合、各配光制御素子は、１つの光源から出射される光の配光を制御する。
【００２２】
一組の反射部５０は、図８に示されるように、基板３０の長手方向に対し基板３０の両側に設けられる。各反射部５０には、少なくとも１つの保持部５１が設けられている。保持部５１は、配光制御素子４０であるロッドレンズ４１の突起部４２を保持することにより、筐体１０に対するロッドレンズ４１の位置を固定する。保持部５１は、例えば、反射部５０が有する反射部本体５２から一方向に突出し、その一方向とは異なる方向に湾曲または屈曲した形状を有する。実施の形態１において、保持部５１は、反射部本体５２からＬ字型に突出した形状を有する。Ｌ字型の保持部５１は、ロッドレンズ４１の突起部４２の一部に覆い被さるように係合する。反射部５０の保持部５１は、このようにロッドレンズ４１の突起部４２に重ねて配置される。図６に示されるように、各反射部５０は基板３０の長手方向に長尺形状を有する。各反射部５０には複数の保持部５１が設けられる。各保持部５１の間隔は、３００ｍｍ以下である。各保持部５１は透明もしくは白色の樹脂を含む。
【００２３】
反射部本体５２は、図８に示されるように、保持部５１が設けられる位置において、ｘ−ｙ面に平行すなわち後述する筐体１０の底面が延在する方向に平行な面を有する。また、反射部本体５２は、保持部５１が設けられる位置よりも基板３０から離れた位置に斜面５３を有する。斜面５３は基板３０から離れる方向に傾いている。図６に示されるように、一のユニット９０Ａに含まれる反射部５０の一方は、そのユニット９０Ａに隣接するユニット９０Ｂに含まれる反射部５０に接続している。図８に示されるように、ユニット９０Ａの反射部本体５２の斜面５３と隣接するユニット９０Ｂの反射部本体５２の斜面５３とは、互いが接続する位置を頂点５４とする三角形の断面形状をなす。１つのユニット９０に含まれる光源２０、基板３０およびロッドレンズ４１は、ユニット９０の両端に位置する２つの頂点５４の中間に配置されている。また、ユニット９０Ａに含まれる反射部本体５２と、それに隣接しかつユニット９０Ｂに含まれる反射部本体５２とは一体の部品である。図１１は、一体の部品である２つの反射部本体５２の構成を示す斜視図である。図１２は、一体の部品である２つの反射部本体５２の構成を示す断面図である。
【００２４】
反射部本体５２は、例えば反射シートである。反射部本体５２は、光源２０から出射された光が反射部本体５２の端部で遮光されないよう、基板３０の厚さよりも薄いほうが好ましい。しかし、反射部本体５２が薄すぎる場合、組立工程における各反射部５０の取り扱い難しい。また、反射部本体５２が三角形の形状を維持するだけの硬さ、または保持部５１を保持するだけの硬さが確保できない。そのため、反射部本体５２の厚さは、０．３ｍｍから１．０ｍｍ程度であることが好ましい。反射部本体５２の成形方法は、例えば、真空成形などである。
【００２５】
一組の反射部５０は、ロッドレンズ４１から出射される光の一部を反射または拡散させる。反射部本体５２の三角形をなす斜面５３も、光源２０から出射された光を反射または拡散させる。
【００２６】
筐体１０は、複数の光源２０と、基板３０と、配光制御素子４０と、一組の反射部５０とを収容し、かつ、一組の反射部５０の位置を固定する。図８に示されるように、実施の形態１においては、反射部本体５２と筐体１０とは、両面テープ６０で固定されている。両者は、ネジその他の固定部材により固定されてもよい。なお、液晶表示装置２００は立てた状態で使用されることが多い。面光源装置１００の配光制御素子４０も、その液晶表示装置２００の使用形態に合わせて、重力方向と平行に配置されている。重力方向とはｙ軸方向である。
【００２７】
（作用および効果）
光源２０から出射された光は、ロッドレンズ４１によって拡散され、液晶表示部１１０を照射する。また、光源２０から出射された光の一部は、反射部５０の三角形にて反射または拡散され、液晶表示部１１０を照射する。面光源装置１００は、ロッドレンズ４１と反射部５０とによって、光源２０から出射された光の伝搬を制御して、液晶表示部１１０を均一に照射することを可能にする。
【００２８】
反射部５０の筐体１０に対する位置は、両面テープ６０等の固定部材によって固定されている。また、ロッドレンズ４１の筐体１０に対する位置は、反射部５０の保持部５１により固定されている。光源２０の位置は、筐体１０に固定された基板３０によって固定される。以上の構成により、光源２０とロッドレンズ４１との位置関係が一意に固定される。また、実施の形態１におけるロッドレンズ４１の固定には、接着材が用いられていない。光源２０の発熱により、ロッドレンズ４１が加熱されて膨張したとしても、光源２０とロッドレンズ４１との位置関係は崩れにくい。面光源装置１００は、光源２０とロッドレンズ４１との位置ずれに起因する輝度の劣化または色ムラの発生を防ぐことができる。
【００２９】
以上をまとめると、実施の形態１における面光源装置１００は、複数の光源２０と、長尺形状を有し、長手方向に並べられた複数の光源２０を実装する基板３０と、基板３０の長手方向に対し両側に突出する一組の突起部４２を含み、複数の光源２０のうち少なくとも１つの光源２０を覆って設けられ、少なくとも１つの光源２０から出射される光の配光を制御する配光制御素子４０と、基板３０の長手方向に対し基板３０の両側に設けられ、配光制御素子４０から出射される光の一部を反射する一組の反射部５０と、複数の光源２０と、基板３０と、配光制御素子４０と、一組の反射部５０とを収容し、かつ、一組の反射部５０の位置を固定する筐体１０と、を含む。各反射部５０は、各突起部４２を保持することにより、筐体１０に対する配光制御素子４０の位置を固定する少なくとも１つの保持部５１を含む。実施の形態１において、配光制御素子４０はロッドレンズ４１である。
【００３０】
以上の構成によれば、面光源装置１００は、光源２０と配光制御素子４０との位置関係を維持しながら、配光制御素子４０を安定して保持することができる。面光源装置１００は、接着材を用いることなく配光制御素子４０を保持する。つまり面光源装置１００は、反射部５０の保持部５１と配光制御素子４０の突起部４２とを含む簡単な保持構造により配光制御素子４０を保持する。そのため、光源２０が点灯することにより熱が生じたとしても、面光源装置１００は、光源２０と配光制御素子４０との位置関係を一定に保ち、輝度の劣化および色ムラの発生を防ぐ。また、保持構造は、配光制御素子４０から出射される光を遮らない。そのため、実施の形態１における面光源装置１００は、均一な照明が要求される液晶表示装置２００等の薄型テレビへの使用に適している。なお、面光源装置１００は、映像表示装置のバックライト等だけでなく、照明機器にも適用可能である。
【００３１】
また、実施の形態１における面光源装置１００は、配光制御素子４０は、基板３０の長手方向に長尺形状を有し、複数の光源２０を覆って設けられる。各突起部４２は、配光制御素子４０の長手方向に一様な形状を有する。
【００３２】
以上の構成によれば、光源２０ごとに配光制御素子４０を設ける必要がないため、面光源装置１００の低コスト化が可能である。また、各突起部４２を含め、配光制御素子４０の長手方向における断面は、いずれの位置においても同じ形状を有する。このような形状を有する配光制御素子４０は、押出成形により作製可能なため、面光源装置１００の低コスト化を実現する。
【００３３】
また、実施の形態１における面光源装置１００は、配光制御素子４０の各突起部４２と各反射部５０の少なくとも１つの保持部５１とは、透明もしくは白色の樹脂を含む。
【００３４】
以上の構成によれば、面光源装置１００は、面内輝度の均一性を向上させることができる。
【００３５】
また、実施の形態１における面光源装置１００は、各反射部５０の少なくとも１つの保持部５１は、複数の保持部５１を含む。
【００３６】
以上の構成によれば、面光源装置１００は、配光制御素子４０を、より安定して保持することができる。その結果、面内輝度の均一性が向上する。
【００３７】
また、実施の形態１における面光源装置１００は、複数の保持部５１の各々が設けられる間隔は、３００ｍｍ以下である。
【００３８】
以上の構成によれば、面光源装置１００は、配光制御素子４０を、より安定して保持することができる。その結果、面内輝度の均一性が向上する。
【００３９】
また、実施の形態１における映像表示装置は、面光源装置１００と、面光源装置１００により照明される映像表示パネルと、を含む。実施の形態１においては、映像表示装置は液晶表示装置２００、映像表示パネルは液晶パネル１１３である。
【００４０】
以上の構成によれば、液晶表示装置２００の液晶パネル１１３は、面内輝度の均一性と安定性に優れた面光源装置１００によって照明される。液晶表示装置２００は映像品質が従来よりも向上した映像を表示することができる。
【００４１】
＜実施の形態２＞
実施の形態２における面光源装置を説明する。なお、実施の形態１と同様の構成および動作については説明を省略する。
【００４２】
図１３は、実施の形態２における面光源装置１０１の構成を示す斜視図である。図１４は、図１３に示される面光源装置１０１の構成を拡大して示す斜視図である。図１５は、面光源装置１０１の構成を示す断面図である。図１５は、図１４に示されるＢ−Ｂ’における断面を示す。光源２０、基板３０および筐体１０は、それぞれ実施の形態１と同様の構成を有する。配光制御素子４０も、実施の形態１と同様の構成を有し、ここではロッドレンズ４１である。図１６は、ロッドレンズ４１の構成を示す斜視図である。図１７は、ロッドレンズ４１の構成を示す断面図である。
【００４３】
一組の反射部５０は、基板３０の長手方向に対し基板３０の両側に設けられる。各反射部５０は基板３０の長手方向に長尺形状を有する。各反射部５０には複数の保持部５１が設けられる。各保持部５１の間隔は、３００ｍｍ以下である。各保持部５１は透明もしくは白色の樹脂を含む。図１８は、実施の形態２における保持部５１の構成を拡大して示す斜視図である。実施の形態２における面光源装置１０１は、反射部５０の保持部５１の構成が実施の形態１とは異なる。保持部５１は、保持部本体５５と保持部材５６とで構成される。保持部本体５５と保持部材５６とは、複数の保持部５１の各々に対応して設けられる。
【００４４】
図１９は、図１１と同様に、一体の部品である２つの反射部本体５２の構成を示す斜視図である。図２０は、一体の部品である２つの反射部本体５２を拡大して示す斜視図である。保持部本体５５は、反射部本体５２上に設けられる。１つの保持部本体５５は、反射部本体５２から＋ｚ方向に突出し、ｘ軸方向に延在する横穴からなる２つの被挿入部５５Ａを有する。なお、実施の形態２において、反射部本体５２の構成は、実施の形態１と同様である。
【００４５】
保持部材５６は、保持部本体５５に保持され、かつ、ロッドレンズ４１の突起部４２を保持する。図２１は、保持部材５６の構成を示す斜視図である。保持部材５６には、２つの挿入部５６Ａおよび接触部５６Ｂが設けられている。各挿入部５６Ａは保持部本体５５の各被挿入部５５Ａに嵌合する。それにより、保持部材５６は保持部本体５５に保持される。また、保持部材５６の接触部５６Ｂは、ロッドレンズ４１の突起部４２の一部に覆い被さるように係合する。実施の形態２においては、保持部材５６の各挿入部５６Ａは、ｘ軸方向つまり基板３０が位置する方向に延在する。接触部５６Ｂは、ｙ軸方向において、２つの挿入部５６Ａの中央に位置する。
【００４６】
このように、反射部５０の保持部５１は、保持部材５６を介してロッドレンズ４１の各突起部４２を保持し、筐体１０に対するロッドレンズ４１の位置を固定する。
【００４７】
以上をまとめると、実施の形態２における面光源装置１０１は、各反射部５０の少なくとも１つの保持部５１は、保持部本体５５と、保持部本体５５に保持されかつ各突起部４２を保持する保持部材５６と、を含む。
【００４８】
以上の構成によれば、面光源装置１０１は、光源２０と配光制御素子４０との位置関係を維持しながら、配光制御素子４０を安定して保持することができる。面光源装置１０１は、接着材を用いることなく配光制御素子４０を保持する。つまり面光源装置１０１は、反射部５０の保持部５１と配光制御素子４０の突起部４２とを含む簡単な保持構造により配光制御素子４０を保持する。そのため、光源２０が点灯することにより熱が生じたとしても、面光源装置１０１は、光源２０と配光制御素子４０との位置関係を一定に保ち、輝度の劣化および色ムラの発生を防ぐ。また、保持構造は、配光制御素子４０から出射される光を遮らない。そのため、実施の形態２における面光源装置１０１は、均一な照明が要求される液晶表示装置２００等の薄型テレビへの使用に適している。さらに、保持部材５６が用いられることにより、面光源装置１０１の製造工程において、配光制御素子４０の組み立てが容易となる。
【００４９】
また、実施の形態２における面光源装置１０１は、配光制御素子４０の各突起部４２と各反射部５０の少なくとも１つの保持部５１と保持部材５６は、透明もしくは白色の樹脂を含む。
【００５０】
以上の構成によれば、面光源装置１０１は、面内輝度の均一性を向上させることができる。
【００５１】
また、実施の形態２における面光源装置１０１は、各反射部５０の少なくとも１つの保持部５１は、複数の保持部５１を含む。保持部材５６は、複数の保持部５１の各々に対応して設けられる。
【００５２】
以上の構成によれば、面光源装置１０１は、配光制御素子４０を、より安定して保持することができる。その結果、面内輝度の均一性が向上する。
【００５３】
＜実施の形態３＞
実施の形態３における面光源装置を説明する。なお、実施の形態１または２と同様の構成および動作については説明を省略する。
【００５４】
図２２は、実施の形態３における面光源装置１０２の構成を示す斜視図である。図２３は、面光源装置１０２の構成を示す断面図である。図２３は、図２２に示されるＣ−Ｃ’における断面を示す。光源２０、基板３０、一組の反射部５０、保持部５１および筐体１０は、それぞれ実施の形態２と同様の構成を有する。つまり、面光源装置１０２は、保持部材５６を介して配光制御素子４０を保持している。
【００５５】
実施の形態３における配光制御素子４０はロッドレンズ４３である。ロッドレンズ４３は、筐体１０と対面する下面に脚部４４を有する。ロッドレンズ４３は、脚部４４と筐体１０の間に設けられる両面テープ６１により筐体１０に固定されている。脚部４４以外の構成は、実施の形態１または２に記載のロッドレンズ４１と同様である。
【００５６】
ロッドレンズ４３は単独で筐体１０に固定されているため、製造工程において、面光源装置１０２の組立性が向上する。ただし、両面テープ６１による固定は、あくまでも組立時の仮の固定である。樹脂で作製されかつ長尺形状を有するロッドレンズ４３は、温度と線膨張係数とに対応して長さが変化し、または、吸湿して長さが変化し、光源２０に対するロッドレンズ４３の位置がずれたり、脚部４４を固定していた両面テープ６１が剥がれたりする。実施の形態３における面光源装置１０２は、両面テープ６１だけでなく、保持部５１によってロッドレンズ４３を保持している。よって、ロッドレンズ４３の保持強度が向上する。
【００５７】
なお、本発明は、その発明の範囲内において、各実施の形態を自由に組み合わせたり、各実施の形態を適宜、変形、省略したりすることが可能である。
【００５８】
本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【００５９】
１０  筐体、２０  光源、３０  基板、４０  配光制御素子、４１  ロッドレンズ、４２  突起部、４４  脚部、５０  反射部、５１  保持部、５２  反射部本体、５５  保持部本体、５６  保持部材、１００  面光源装置、２００  液晶表示装置。
【図１】
2019139869.tif 000003
【図２】
2019139869.tif 000004
【図３】
2019139869.tif 000005
【図４】
2019139869.tif 000006
【図５】
2019139869.tif 000007
【図６】
2019139869.tif 000008
【図７】
2019139869.tif 000009
【図８】
2019139869.tif 000010
【図９】
2019139869.tif 000011
【図１０】
2019139869.tif 000012
【図１１】
2019139869.tif 000013
【図１２】
2019139869.tif 000014
【図１３】
2019139869.tif 000015
【図１４】
2019139869.tif 000016
【図１５】
2019139869.tif 000017
【図１６】
2019139869.tif 000018
【図１７】
2019139869.tif 000019
【図１８】
2019139869.tif 000020
【図１９】
2019139869.tif 000021
【図２０】
2019139869.tif 000022
【図２１】
2019139869.tif 000023
【図２２】
2019139869.tif 000024
【図２３】
2019139869.tif 000025